(57)【要約】      （修正有）【課題】取り付け部分の制約された幅寸法の条件下において、この幅寸法以上の幅を有するモニタを格納することが可能なモニタ格納装置を提供する。【解決手段】モニタ格納装置１０では、天井に設けられた収納部５に開閉可能な状態で設置されるモニタ２を収納部５に格納する装置であって、モータ２２と、開閉機構２０と、を備えている。モータ２２は、モニタ２を開閉するための駆動力を開閉機構２０に供給する。開閉機構２０は、モータ２２からの駆動力が伝達され、モニタ２の長手方向が収納部５の幅方向に略直交する方向に沿って収納部５の収納空間Ｓ１に格納された閉状態から、モニタ２の長手方向が横向きに展開された開状態へと移行させる。【選択図】図６
2015164817.tif 000002
【特許請求の範囲】
【請求項１】
天井に設けられた収納部に開閉可能な状態で設置されるモニタを収納位置に格納するモニタ格納装置であって、
前記モニタを開閉するための駆動力を前記開閉機構に供給するモータと、
前記モータからの駆動力が伝達され、前記モニタの長手方向が前記収納部の幅方向に略直交する方向に沿って前記収納部に格納された状態から、前記モニタの長手方向が横向きに展開された開状態へと移行させる開閉機構と、
を備えているモニタ格納装置。
【請求項２】
前記開閉機構は、前記モニタの長手方向に沿って回転軸が設けられており前記モニタの長手方向における第１端側に配置された第１傘歯歯車と、前記第１傘歯歯車に噛み合うように前記天井側に固定配置された第２傘歯歯車と、を有している、
請求項１に記載のモニタ格納装置。
【請求項３】
前記モニタの展開時において、前記モニタの長手方向における前記第１・第２傘歯歯車が設けられた第１端とは反対側の第２端部を支持する支持機構を、さらに備えている、
請求項２に記載のモニタ格納装置。
【請求項４】
前記支持機構は、前記モニタの展開方向に沿って前記収納部に形成された開口部と、前記開口部に沿って移動しながら前記第２端側を支持する支持部と、を有している、
請求項３に記載のモニタ格納装置。
【請求項５】
前記モータは、前記第１傘歯歯車に接続されており、前記モニタ側に設けられている、
請求項２から４のいずれか１項に記載のモニタ格納装置。
【請求項６】
前記モータは、前記第２傘歯歯車に接続されており、前記収納部側に設けられている、
請求項２から４のいずれか１項に記載のモニタ格納装置。
【請求項７】
前記開閉機構は、前記モニタを３次元空間において回動させる回動軸と、前記モニタを支持しており前記回動軸を中心にして前記収納部の平面に対して斜めに移動する軸支部と、を有している、
請求項１に記載のモニタ格納装置。
【発明の詳細な説明】
【技術分野】
【０００１】
本開示は、旅客用航空機等の客室の天井部分に設置された開閉式モニタを格納するモニタ格納装置に関する。
【背景技術】
【０００２】
近年、航空機や列車、バス、客船等の輸送手段の客室内には、乗客に映像等を表示するサービスを提供するためのモニタ装置が設置されている。
特に、旅客用航空機においては、客室の座席天井部の荷物棚の下部に収納可能なモニタが回動可能な状態で取り付けられている（特許文献１参照）。
ここで、航空機等に設置される天井収納式のモニタには、客室内の天井部分の取り付けスペースに幅寸法の制約がある。このため、従来のモニタは、幅の制約に合わせた液晶パネル等の表示パネルが採用されている。
【先行技術文献】
【特許文献】
【０００３】
【特許文献１】特開２０００−１５９１９７号公報（平成１２年６月１３日公開）
【発明の概要】
【発明が解決しようとする課題】
【０００４】
しかしながら、上記従来の構成では、以下に示すような問題点を有している。
すなわち、上記公報に開示された構成では、取り付け部分の制約された幅寸法に合った幅を有するモニタしか採用できないため、近年の画面の大型化の要求に対応することが困難である。
本開示の課題は、取り付け部分の制約された幅寸法の条件下において、この幅寸法以上の幅を有するモニタを格納することが可能なモニタ格納装置を提供することにある。
【課題を解決するための手段】
【０００５】
本開示に係るモニタ格納装置は、天井に設けられた収納部に開閉可能な状態で設置されるモニタを収納位置に格納するモニタ格納装置であって、モータと、開閉機構と、を備えている。モータは、通電時にモニタを開閉するための駆動力を開閉機構に供給する。開閉機構は、モータからの駆動力が伝達され、モニタの長手方向が収納部の幅方向に略直交する方向に沿って収納部に格納された状態から、モニタの長手方向が横向きに展開された開状態へと移行させる。
【発明の効果】
【０００６】
本開示に係るモニタ格納装置によれば、取り付け部分の制約された幅寸法の条件下において、取り付け部分の幅寸法以上の幅を有するモニタを格納することができる。
【図面の簡単な説明】
【０００７】
【図１】（ａ）は、本開示の一実施形態に係るモニタ格納装置が航空機の客室内における天井部に設置され、モニタを閉じた状態を示す斜視図。（ｂ）は、モニタの使用時の状態を示す斜視図。
【図２】図１（ａ）の閉状態におけるモニタおよびモニタ格納装置の構成を示す斜視図。
【図３】図２の閉状態におけるモニタおよびモニタ格納装置の構成を天井内部から見た平面図。
【図４】（ａ），（ｂ）は、図２の閉状態におけるモニタおよびモニタ格納装置の構成を回動軸方向における両側から見た側面図。
【図５】図２の閉状態におけるモニタおよびモニタ格納装置の構成を回動軸側から見た側面図。
【図６】図２の閉状態からモニタを開いていく際の中間位置における状態を示す斜視図。
【図７】図１（ｂ）の開状態におけるモニタおよびモニタ格納装置の構成を示す斜視図。
【図８】図７の開状態におけるモニタおよびモニタ格納装置の構成を天井内部から見た平面図。
【図９】本開示の他の実施形態に係るモニタ格納装置およびモニタの構成を回動軸側から見た側面図。
【図１０】図９の閉状態におけるモニタおよびモニタ格納装置の構成を天井内部から見た平面図。
【図１１】図９の閉状態から開状態へ移行する際の中間位置における状態を示す斜視図。
【図１２】図１１の中間位置から開状態へ移行した状態を示す斜視図。
【図１３】本開示のさらに他の実施形態に係るモニタ格納装置およびモニタの閉状態における構成を示す斜視図。
【図１４】図１３のモニタおよびモニタ格納装置を天井内部から見た斜視図。
【図１５】図１３の閉状態からモニタを開いていく際の中間位置における状態を示す斜視図。
【図１６】図１３の閉状態から開状態へ移行した状態を示す斜視図。
【図１７】（ａ），（ｂ）は、本開示のさらに他の実施形態に係るモニタ格納装置のモニタを閉じた状態における構成を示す側面図、平面図。（ｃ）は、モニタを開けた状態における構成を示す平面図。
【図１８】（ａ）は、図１７のモニタ格納装置によって開閉されるモニタの閉状態を示す正面図、（ｂ）は、モニタの開状態を示す正面図。
【発明を実施するための形態】
【０００８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、出願人は、当業者が本開示を十分に理解するために添付図面および以下の説明を提供するのであって、これらによって特許請求の範囲に記載の主題を限定することを意図するものではない。
【０００９】
（実施形態１）
本開示の一実施形態に係るモニタ格納装置１０について、図１（ａ）〜図８を用いて説明すれば以下の通りである。
本実施形態に係るモニタ格納装置１０は、図１（ａ）および図１（ｂ）に示すように、旅客用航空機の客室Ｓの天井４、特に、天井４に設置された開閉可能な荷物棚４ａの下方に設けられた収納部５に収納された開閉式のモニタ２を開閉するために設けられている。
【００１０】
（モニタ２）
モニタ２は、図１（ａ）および図２に示すように、シートに着座した乗客から見て縦長、つまりモニタ２の幅方向（長手方向）が航空機の前後方向に沿って配置されるように、収納部５内に格納されている。そして、モニタ２は、旋回移動可能な回動軸３（図２参照）を中心に旋回しながら回動することで、図１（ａ）に示す天井４の収納部５内に格納された状態（閉状態）から、図１（ｂ）に示すように、収納部５の平面に対して約１１０度開いた使用状態（開状態）（図２参照）との間で開閉される。なお、モニタ２の開閉時の動作については、後段にて詳述する。
【００１１】
また、モニタ２は、図２および図３に示すように、モニタ本体２ａ、表示部２ｂ、円筒部２ｃ，２ｃを有している。
モニタ本体２ａは、図２に示すように、開状態において乗客に向かって映像等を表示するために設けられており、正面視において略四角形の表示パネルである。
表示部２ｂは、ＬＣＤ（Liquid Crystal Display）等を用いた表示パネルであって、収納部５内に格納された状態では、図２に示すように、下向きに配置される。
【００１２】
円筒部２ｃ，２ｃは、モニタ本体２ａの回動軸３側の辺における左右均等な位置に設けられており、略円形の形状を有している。また、円筒部２ｃ，２ｃの中央部分には、図２に示すように、回動軸３が挿入される孔部２ｃａが形成されている。これにより、モニタ２は、円筒部２ｃ，２ｃが回動軸３に軸支された状態で、閉状態と開状態との間で回動する。
【００１３】
さらに、モニタ２は、後述するモニタ格納装置１０に含まれる開閉機構２０のモータ２２の回転駆動力によって開閉駆動される。
（収納部５）
収納部５は、図１（ａ）および図１（ｂ）に示すように、旅客用航空機の客室Ｓの天井４の一部に設けられており、モニタ２を格納する収納空間Ｓ１（図２等参照）を形成するとともに、モニタ２を開閉するためのモニタ格納装置１０が取り付けられている。
【００１４】
収納部５は、図３に示すように、収納部本体５ａ、旋回用開口部５ｂ、旋回軸５ｃを有している。
収納部本体５ａは、箱型形状を有しており、内部の収納空間Ｓ１内に、モニタ２を格納する。
旋回用開口部５ｂは、図３に示すように、収納部５の天井４奥側の面に形成された扇状の開口部であって、後述する開閉機構２０によってモニタ２が旋回しながら開閉される際にモニタ２の回動軸３等の部材が旋回するために必要な空間として設けられている。
【００１５】
旋回軸５ｃは、収納部５の天井４奥側の面から略垂直に突出するように立設された略円柱状の部分であって、旋回部２１の孔部２１ａ内に挿入されている。これにより、後述するモータ２２の回転駆動力によって、モニタ２を旋回しながら開閉する際のモニタ２の旋回中心となる。
（モニタ格納装置１０）
モニタ格納装置１０は、モニタ２を旋回させながら開閉するための機構であって、収納部５とモニタ２とを接続する位置に設けられている。そして、モニタ格納装置１０は、図３に示すように、開閉機構２０と、旋回部２１と、モータ２２と、を備えている。
【００１６】
開閉機構２０は、図４（ａ）に示すモータ２２の回転駆動力を受けて、回動軸３を中心にしてモニタ２を回動させるとともに、旋回軸５ｃを中心にしてモニタ２を旋回させる機構であって、図４（ｂ）に示すように、ギア（第１傘歯歯車）２０ａ、旋回用ギア（第２傘歯歯車）２０ｂを有している。
ギア２０ａは、モータ２２の回転軸に直結されており、モニタ２の回転軸を中心にしてモータ２２の回転駆動力によって回転する傘歯歯車である。ギア２０ａは、モニタ２の円筒部２ｃ，２ｃに形成された孔部２ｃａ内に回転不能な状態で固定されている。これにより、ギア２０ａを回転させると、回動軸３を中心にしてモニタ２を回動させることができる。
【００１７】
旋回用ギア２０ｂは、ギア２０ａと同様の傘歯歯車であって、モニタ２の回転軸３に対して略直交する方向（図４（ｂ）では上下方向）に沿ってギア部分を下向きにして配置されている。旋回用ギア２０ｂは、図５に示すように、ギア２０ａに対して噛み合った状態で旋回軸５ｃを中心にして回転する。
また、旋回用ギア２０ｂは、図５に示すように、旋回部２１の第１端側に形成された孔部２１ａに挿入された状態で取り付けられている。これにより、旋回用ギア２０ｂは、孔部２１ａに軸支された円柱部の中心が旋回軸５ｃとして機能する。
【００１８】
さらに、旋回用ギア２０ｂは、孔部２１ａ内において旋回部２１に対して回転不能な状態で固定されている。これにより、旋回用ギア２０ｂを回転させると、収納部５（天井４）に対して、旋回部２１、つまりモニタ２を、旋回軸５ｃを中心として旋回移動させることができる。
旋回部２１は、収納部５内において収納部５（天井４）に対してモニタ２とともに旋回可能な状態で、モニタ２の回動軸３付近に設けられている。旋回部２１は、図４（ａ）に示すように、底面が略円筒状のボックス形状を有しており、内部に略円筒状のモータ２２が設けられている。
【００１９】
また、旋回部２１は、図３に示す閉状態では、収納部５の収納空間Ｓ１の長手方向に沿って配置される。一方、旋回部２１は、図８に示す開状態では、収納部５の収納空間Ｓ１の短手方向に沿って配置される。これにより、モニタ２の回動軸３を、収納部５内において約９０度旋回させることができる。
さらに、旋回部２１は、図３および図５に示すように、孔部２１ａ、旋回用ローラ（支持部）２１ｂ、ローラ支持軸２１ｃを有している。
【００２０】
孔部２１ａは、旋回部２１における旋回軸５ｃとなる第１端側に形成された円形の貫通穴であって、旋回用ギア２０ｂの軸部分が挿入されている。また、上述したように、旋回用ギア２０ｂは孔部２１ａ内において回転不能な状態で固定されている。
旋回用ローラ２１ｂは、旋回部２１における上記第１端とは反対側の第２端側において、回転可能な状態で設けられており、モニタ２を第２端側において支持する。また、旋回用ローラ２１ｂは、モータ２２の回転駆動力によってギア２０ａとこれに噛み合った旋回用ギア２０ｂとが回転することで、モニタ２が旋回しながら開閉される際に、収納部５の旋回用開口部５ｂの円弧部分に沿って移動する。
【００２１】
ローラ支持軸２１ｃは、旋回部２１の第２端側から回動軸３に沿って突出するように設けられた略円柱状の部分であって、旋回用ローラ２１ｂが回転可能な状態で取り付けられている。よって、ローラ支持軸２１ｃは、旋回用ローラ２１ｂの回転中心となる。
モータ２２は、モニタ２を開閉させるための回転駆動力を生じさせる駆動源であって、図３に示すように、モニタ２の左右の円筒部２ｃ，２ｃの間に設けられた旋回部２１内に固定配置されている。また、モータ２２は、開閉機構２０に含まれるギア２０ａ、旋回用ギア２０ｂを介して、モニタ２の円筒部２ｃに対して回転駆動力を伝達する。
【００２２】
さらに、モータ２２の回転軸は、旋回軸５ｃ側となる第１端側に設けられたギア２０ａに直結されている。これにより、モータ２２の回転駆動力は、ギア２０ａに対して直接伝達されるとともに、ギア２０ａに噛み合った旋回用ギア２０ｂを介して伝達されることで、モニタ２を旋回させながら開閉することができる。
すなわち、本実施形態のモニタ格納装置１０は、図１（ａ）に示すように、収納部５に縦長に格納された閉状態のモニタ２を、図１（ｂ）に示すように、幅方向が横向きになるように展開して開状態に移行させるために、開閉機構２０に含まれる２つの傘歯歯車（ギア２０ａ、旋回用ギア２０）を用いている。
【００２３】
これにより、ギア２０ａの回転によって回動軸３を中心にモニタ２を回動させると同時に、ギア２０ａに噛み合った旋回用ギア２０ｂの回転によって旋回軸５ｃを中心に旋回移動させることで、収納部５に縦長に格納されたモニタ２を、横長の向きで展開されるように開閉することができる。
つまり、２つの傘歯歯車を組み合わせたことで、傘歯歯車の特性によって、ギア２０ａの回転方向をこれに直交する方向に転換して旋回用ギア２０ｂを回転させることができる。
【００２４】
具体的には、ギア２０ａの回転は、モニタ２を回動軸３を中心として回動させる駆動力として伝達される。一方、旋回用ギア２０ｂの回転は、モニタ２を旋回軸５ｃを中心に旋回移動させる駆動力として伝達される。
これにより、モータ２２を駆動すると、回動軸３を中心にモニタ２を回動させる動作と、旋回軸５ｃを中心にモニタ２を旋回させる動作とを同時に並行して行うことができる。
【００２５】
＜モニタ格納装置１０の動作説明＞
（開動作）
本実施形態のモニタ格納装置１０では、モニタ２を閉状態（図２〜図５参照）から開状態（図７および図８参照）へ移行させる際に、モータ２２の回転駆動力を、ギア２０ａ、旋回用ギア２０ｂを介して伝達する。
【００２６】
すなわち、図２等に示す閉状態からモータ２２の回転駆動力によってモニタ２を展開していく際には、モータ２２に直結されたギア２０ａの回転によって、モニタ２が回動軸３を中心にして回動していく。また、このモニタ２の回動動作と並行して、ギア２０ａに噛み合っている旋回用ギア２０ｂの回転によって、モニタ２が旋回軸５ｃを中心にして旋回移動していく。
【００２７】
このとき、旋回用ギア２０ｂの回転によって、モニタ２の上側の長辺に沿って取り付けられた旋回部２１が旋回軸５ｃを中心にして旋回する。よって、モニタ２は、図６に示すように、上側の長辺の第１端側が旋回用ギア２０ｂにおいて支持され、その反対の第２端側が旋回用ローラ２１ｂによって支持された状態で、旋回部２１とともに旋回軸５ｃを中心にして旋回する。
【００２８】
そして、さらにモータ２２によってモニタ２を開く方向に駆動力が伝達されると、図７に示すように、モニタ２は天井４の面に対して約１１０度程度の開度まで開いた状態となり、かつ９０度旋回した開状態（使用状態）へと移行する。
このとき、収納部５に形成された旋回用開口部５ｂ内では、図８に示すように、モニタ２の上側の長辺に沿って取り付けられた旋回部２１が、図３に示す閉状態から、旋回軸５ｃを中心にして９０度旋回した状態で保持される。
【００２９】
これにより、収納時には縦長にモニタ２を収納するとともに、モニタ２の回動と旋回とを組み合わせて展開することで、モニタ２の収納空間Ｓ１に幅方向における規制がある場合でも、収納空間Ｓ１の幅寸法よりも大きな幅のモニタ２を装着し、これを展開させることができる。
（閉動作）
逆に、図８等に示す開状態から図２等に示す閉状態へ移行する場合には、上記と反対の動作によってモニタ２を収納部５の収納空間Ｓ１内へ格納していく。
【００３０】
すなわち、図８等に示す開状態からモータ２２を逆方向に回転させて、図２等に示すようにモニタ２を収納空間Ｓ１内へ格納した閉状態へ移行させる際には、ギア２０ａ、旋回用ギア２０ｂも逆方向に回転させる。
これにより、モニタ２は、天井４の面に対して約１１０度の状態から平行な状態になるように回動軸３を中心にして回動するとともに、縦長の収納空間Ｓ１内へ格納するために、旋回軸５ｃを中心にして旋回移動する。
【００３１】
よって、モニタ２は、図６に示す中間位置を経て、再び、収納空間Ｓ１内へ格納される。
［本モニタ格納装置１０による効果］
（１）
本実施形態のモニタ格納装置１０では、図１（ａ）に示すように、天井４に設けられた収納部５に開閉可能な状態で設置されるモニタ２を収納部５に格納する装置であって、図６等に示すように、モータ２２と、開閉機構２０と、を備えている。モータ２２は、モニタ２を開閉するための駆動力を開閉機構２０に供給する。開閉機構２０は、モータ２２からの駆動力が伝達され、図２等に示すモニタ２の長手方向が収納部５の幅方向に略直交する方向に沿って収納部５の収納空間Ｓ１に格納された閉状態から、図７等に示すモニタ２の長手方向が横向きに展開された開状態へと移行させる。
【００３２】
ここで、例えば、旅客用航空機の客室Ｓの天井４に設置されるモニタ２は、収納部５の収納空間Ｓ１の幅寸法に制約がある場合がある。このため、そのままモニタの端部に設けた回動軸を中心に回動させて開閉する機構では、近年のモニタの大型化の要求に対応することができない。
本実施形態のモニタ格納装置１０では、上述したように、回動軸３を中心にモニタ２を回動させながら、旋回軸５ｃを中心にしてモニタ２を旋回させることで、モニタ２を閉状態から開状態へと移行させる。
【００３３】
これにより、収納空間Ｓ１において縦長に格納されたモニタ２の向きを、収納部５の平面に略平行な状態から約１１０度開いた状態まで回動させた状態へ変化させるとともに、モニタ２の長手方向（モニタ２の幅方向）が約９０度旋回した状態へ変化させることで、モニタ２を３次元に移動させて、使用状態まで展開させることができる。
よって、モニタ２の収納部５に幅方向における制約がある場合でも、収納空間Ｓ１の幅寸法よりも大きい幅寸法を有するモニタ２を取り付けることが可能になるため、近年の画面の大型化の要求に応えることができる。
【００３４】
（２）
本実施形態のモニタ格納装置１０では、図４（ｂ）および図５等に示すように、開閉機構２０は、モニタ２の長手方向に沿って回転軸３が設けられておりモニタ２の長手方向における第１端側に配置されたギア（第１傘歯歯車）２０ａと、ギア２０ａに噛み合うように収納部５（天井４）側に固定配置された旋回用ギア（第２傘歯歯車）２０ｂと、を有している
これにより、簡易な構成により、モータ２２の回転駆動力を、２つの傘歯歯車（ギア２０ａ、旋回用ギア２０ｂ）を介して伝達することで、モニタ２を開きながら旋回移動させることができる。よって、モニタ２の向きを３次元において変化させながら、閉状態から開状態へ移行させることができる。
【００３５】
（３）
本実施形態のモニタ格納装置１０では、図６等に示すように、モニタ２の展開時において、モニタ２の長手方向におけるギア２０ａ、旋回用ギア２０ｂが設けられた第１端とは反対側の第２端を支持する支持機構として、旋回部２１をさらに備えている。
これにより、回動軸３を中心にモニタ２を回動させながら旋回軸５ｃを中心に旋回移動させる場合でも、モニタ２を回動軸３における両端付近において支持することができる。よって、大型のモニタ２であっても、その重量を支えることができる。
【００３６】
（４）
本実施形態のモニタ格納装置１０では、図６等に示すように、支持機構として設けられた旋回部２１は、モニタ２の展開方向に沿って収納部５に形成された旋回用開口部５ｂと、旋回用開口部５ｂに沿って移動しながらモニタ２の第２端側を支持する旋回用ローラ２１ｂと、を有している。
【００３７】
これにより、旋回用ローラ２１ｂが収納部５の上面上を転がることによって、旋回軸５ｃを中心にしてモニタ２を旋回させるとともに、モニタ２の回動軸３側に固定された旋回部２１の第２端側を支持することができる。
（５）
本実施形態のモニタ格納装置１０では、図６等に示すように、モータ２２は、ギア２０ａに直結されており、モニタ２側（モニタ２の回動軸３側に固定された旋回部２１）に設けられている、
これにより、モニタ２の回動軸３側に設けられた旋回部２１内の空間にモータ２２を格納した状態で、モニタ２を駆動することができる。
【００３８】
（実施形態２）
本開示の他の実施形態に係るモニタ格納装置１１０について、図９〜図１２を用いて説明すれば以下の通りである。
本実施形態のモニタ格納装置１１０は、図９および図１０に示すように、開閉機構１２０に含まれる２つの傘歯歯車（ギア１２０ａ、旋回用ギア１２０ｂ）を回転させる駆動力を付与するモータ１２２を、収納部５側に設けて旋回用ギア１２０ｂ側に直結した点において、モータ２２をモニタ２側に設けてギア２０ａに直結した上記実施形態１とは異なっている。ただし、上記以外の構成については、基本的に実施形態１と同様である。
【００３９】
すなわち、本実施形態のモニタ格納装置１１０では、モニタ２を開閉するための駆動力を付与するモータ１２２が、モニタ２（旋回部２１）側ではなく、収納部５側に配置されている。
具体的には、モータ１２２は、収納部５における、開閉機構１２０のギア１２０ａが設けられている第１端側に設けられている。そして、モータ１２２は、モニタ２を回動させるギア１２０ａではなく、図９に示すように、モニタ２を旋回移動させる旋回用ギア１２０ｂに直結されている。このため、モータ１２２の回転駆動力は、モータ１２２の回転軸に直結された旋回用ギア１２０ｂに直接伝達されて旋回軸５ｃを中心にモニタ２を旋回移動させる。同時に、この旋回移動と並行して、旋回用ギア１２０ｂに噛み合ったギア１２０ａに回転駆動力が伝達されることで、回動軸３を中心にしてモニタ２を回動させる。
【００４０】
なお、ギア１２０ａは、上記実施形態１のギア２０ａと同様に、モニタ２の円筒部２ｃと一体となって回転するものとする。同様に、旋回用ギア１２０ｂは、上記実施形態１の旋回用ギア２０ｂと同様に、旋回部２１と一体的となって回転するものとする。
これにより、図１０に示す閉状態からモニタ２を展開していく際には、図１１および図１２に示すように、モータ１２２の位置は閉状態から開状態に至るまで変化しない。よって、モニタ２を回動・旋回しながら開閉する際に、モニタ２側にモータ１２２の重量がかかることはない。この結果、モニタ２を支持する支持機構（旋回部２１等）の構成を簡素化することができるとともに、モニタ２を展開・収納する際の駆動力を軽減できるためモータ１２２を小型化することができるという効果も得ることができる。
【００４１】
つまり、本実施形態のモニタ格納装置１１０は、上記実施形態１において得られる効果と同様の効果を得ることができるとともに、モータ１２２を収納部５側へ設けたことで、構成を簡素化することができる。
（実施形態３）
本開示のさらに他の実施形態に係るモニタ格納装置２１０について、図１３〜図１６を用いて説明すれば以下の通りである。
【００４２】
本実施形態のモニタ格納装置２１０は、図１３および図１４に示すように、モニタ２０２の軸支部２０２ｂと回動軸２０３の向きを工夫することによって、モータ２２２を回転させる単純な開閉機構２２０を用いてモニタ２を開閉するという点において、２つの傘歯歯車を含む開閉機構２０，１２０によってモニタ２を開閉する上記実施形態１，２とは異なっている。
【００４３】
すなわち、本実施形態のモニタ格納装置２１０は、図１３等に示すように、収納部２０５の収納部本体２０５ａ内に形成された収納空間Ｓ１内にモニタ２０２を格納した閉状態から、図１５に示す中間位置を経由して、図１６に示す開状態へとモニタ２０２を移行させる。
モニタ格納装置２１０は、収納部２０５に対して縦長に格納されたモニタ２０２を、長手方向が横向きになるように展開するために、収納部２０５の平面に対して４５度の角度に沿って切り欠かれた回動空間部２０５ｂ内において、回動軸２０３を中心にして、モニタ２０２の軸支部２０２ｂを回動させる。
【００４４】
具体的には、モニタ２０２の回動軸２０３となるモータ２２２の回転軸が、図１４に示すように、収納部２０５に形成された回動空間部２０５ｂに対して略垂直になるように、収納部２０５の平面に対して約４５度傾いた状態で取り付けられている。
また、モニタ２０２を支持する軸支部２０２ｂは、図１４および図１６に示すように、モニタ本体２０２ａの側面に対して約４５度傾いた状態で、モニタ本体２０２ａとともに一体的に形成されている。
【００４５】
本実施形態のモニタ格納装置２１０では、以上のように、モニタ２０２を３次元空間において回動させる回動中心となる回動軸２０３が、収納部２０５の平面およびモニタ２０２の側面に対してそれぞれ４５度に傾いた状態で設けられている。
これにより、モータ２２２の回転駆動力を、モニタ２０２に対して直接的に伝達する単純な機構であっても、モニタ２０２の向きを縦向きから横向きに変化させるとともに、モニタ２０２を収納部２０５に対して閉じた状態から、乗客が視聴可能な開状態へ移行させることができる。
【００４６】
［他の実施形態］
以上、本開示の一実施形態について説明したが、本開示は上記実施形態に限定されるものではなく、要旨を逸脱しない範囲で種々の変更が可能である。
（Ａ）
上記実施形態１，２では、２つの傘歯歯車（ギア２０ａ、旋回用ギア２０ｂおよびギア１２０ａ、旋回用ギア１２０ｂ）を含む開閉機構２０，１２０によってモニタ２を開閉する例を挙げて説明した。しかし、本開示はこれに限定されるものではない。
【００４７】
例えば、図１７（ａ）および図１７（ｂ）に示すように、モータ３２２によってモニタ３０２が収納空間内に格納された閉状態においては、モニタ３０２を閉じる方向に付勢するとともに、図１７（ｃ）に示すように、モニタ３０２の開状態においてはモニタ３０２を開ける方向に付勢するトグルバネ３２１を用いた開閉機構３２０を備えたモニタ格納装置３１０であってもよい。
【００４８】
モニタ３０２は、モニタ本体３０２ａと、回動軸３０３側の端部に設けられた円筒部３０２ｂ，３０２ｂと、を有している。そして、円筒部３０２ｂ，３０２ｂの一方の外周面には、径方向外側に向かって突出する略円筒状の係止部３２０ａが形成されている。
係止部３２０ａが形成された側の円筒部３０２ｂは、モータ３２２の回転軸に直結されている。このため、モータ３２２の回転駆動力は、円筒部３０２ｂおよびその外周面に形成された係止部３２０ａに直接的に伝達される。
【００４９】
また、係止部３２０ａには、トグルバネ３２１の第１端が固定されている。これにより、モータ３２２の回転軸が回転すると、係止部３２０ａに第１端が接続されているため、トグルバネ３２１の第１・第２端の距離が縮む方向に圧縮される。そして、モータ３２２の回転によって、回動軸３０３を中心にして係止部３２０ａがさらに回転すると、トグルバネ３２１の第１・第２端の距離が最短距離となるデッドポイントを経由して、再び第１・第２端の距離が広がっていく。
【００５０】
すなわち、本モニタ格納装置３１０では、開状態においてモニタ本体３０２ａの上側の長辺に沿って回動軸３０３が形成され、回動軸３０３に沿って配置されたモータ３２２の回転駆動力が伝達されてモニタ３０２が閉状態から開状態へと展開される。
このとき、トグルバネ３２１は、図１７（ｂ）に示すように、閉状態においては平面視においてモニタ３０２を閉じる方向に付勢している。そして、モータ３２２の回転駆動力が伝達されて、モニタ３０２が展開されていくと、モニタ３０２を回動させるモータ３２２の回転軸に直結された略円柱状の係止部３２０ａが回動軸３０３を中心に回転する。すると、係止部３２０ａに第１端が固定されたトグルバネ３２１は圧縮されていく。ここで、係止部３２０ａがさらに回転して、トグルバネ３２１がデッドポイントを超えてさらに圧縮されると、トグルバネ３２１の特性によってモニタ３０２の取付台３２３を付勢する方向が反転する。
【００５１】
これにより、図１８（ａ）に示す閉状態から、モータ３２２の回転駆動力によって、モニタ３０２が所定の中間位置を経由してさらに駆動されると、付勢方向が反転したトグルバネ３２１の付勢力によって、旋回軸３０５を中心にしてモータ３２２の取付台３２３を９０度旋回させることができる。よって、モータ３２２の回転駆動力によって、図１８（ｂ）に示すように、回動軸３０３を中心にモニタ３０２を回動させると同時に、縦長に格納されていたモニタ３０２の向きを、表示画面が正面を向くまで旋回軸３０５を中心にして旋回させることができる。
【００５２】
（Ｂ）
上記実施形態では、正面視において略四角形のモニタ２の開閉を行うモニタ格納装置１０について説明した。しかし、本開示はこれに限定されるものではない。
例えば、本モニタ格納装置によって開閉を行うモニタの形状としては、略四角形以外に、多角形や楕円形等の長手方向と短手方向とを有する様々な形状のモニタの開閉を行う装置として適用可能である。
【００５３】
また、開閉を行うモニタは、上述したＬＣＤ表示パネルだけでなく、他の種類の表示パネルであってもよい。
（Ｃ）
上記実施形態では、旅客用航空機の客室Ｓの天井４の部分に設置されたモニタ２の格納装置を例として挙げて説明したが、本開示は航空機の客室に装着されるモニタの格納装置に限定されるものではない。
【００５４】
例えば、列車、バス、客船等の各種輸送手段に設置されたモニタの格納装置に対しても同様に適用可能である。
あるいは、本開示は、輸送手段に設置されるモニタの格納装置に限定されるものではなく、天井面に設置されるモニタを格納する装置として、広く適用可能である。
【産業上の利用可能性】
【００５５】
本開示のモニタ格納装置は、取り付け部分の制約された幅寸法の条件下において、取り付け部分の幅寸法以上の幅を有するモニタを格納することができるという効果を奏することから、取り付け部分に寸法の制約があるモニタの格納装置に対して広く適用可能である。
【符号の説明】
【００５６】
２      モニタ
２ａ    モニタ本体
２ｂ    表示部
２ｃ    円筒部
２ｃａ  孔部
３      回動軸
４      天井
４ａ    荷物棚
５      収納部
５ａ    収納部本体
５ｂ    旋回用開口部（開口部）
５ｃ    旋回軸
１０      モニタ格納装置
２０      開閉機構
２０ａ    ギア（第１傘歯歯車）
２０ｂ    旋回用ギア（第２傘歯歯車）
２１      旋回部（支持機構）
２１ａ    孔部
２１ｂ    旋回用ローラ（支持部）
２１ｃ    ローラ支持軸
２２      モータ
１１０    モニタ格納装置
１２０    開閉機構
１２０ａ  ギア（第１傘歯歯車）
１２０ｂ  旋回用ギア（第２傘歯歯車）
１２２    モータ
２０２    モニタ
２０２ａ  モニタ本体
２０２ｂ  軸支部
２０２ｃ  孔部
２０３    回動軸
２０５    収納部
２０５ａ  収納部本体
２０５ｂ  回動空間部
２１０    モニタ格納装置
２２０    開閉機構
２２２    モータ
３０２    モニタ
３０２ａ  モニタ本体
３０２ｂ  円筒部
３０３    回動軸
３０５    旋回軸
３１０    モニタ格納装置
３２０    開閉機構
３２０ａ  係止部
３２１    トグルバネ
３２２    モータ
３２３    取付台
Ｓ      客室
Ｓ１    収納空間
【図１】
2015164817.tif 000003
【図２】
2015164817.tif 000004
【図３】
2015164817.tif 000005
【図４】
2015164817.tif 000006
【図５】
2015164817.tif 000007
【図６】
2015164817.tif 000008
【図７】
2015164817.tif 000009
【図８】
2015164817.tif 000010
【図９】
2015164817.tif 000011
【図１０】
2015164817.tif 000012
【図１１】
2015164817.tif 000013
【図１２】
2015164817.tif 000014
【図１３】
2015164817.tif 000015
【図１４】
2015164817.tif 000016
【図１５】
2015164817.tif 000017
【図１６】
2015164817.tif 000018
【図１７】
2015164817.tif 000019
【図１８】
2015164817.tif 000020